Podtech/llm-jp-corpus-v4-ja_patent huggingface dataset:
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
自然言語を使用可能なアプリケーションに対する自然言語入力を解釈するためのシステムであって、
オブジェクト指向のデータ型のセットと、該オブジェクト指向のデータ型のセットに関するルールを定義するセマンティックなコードとを含む文法を記憶する記憶手段であって、前記オブジェクト指向のデータ型のセットは、複数のクラスを含む記憶手段と、
１つまたは複数のパラメータとともに前記オブジェクト指向のデータ型のセットのうちの選択されたデータ型をインスタンス化することにより、パラメータを有する型付けされた文法にアクセスするコンピュータ読み取り可能コードからなるソースファイルと、
自然言語入力を受け取り、該自然言語入力を前記パラメータに従って型付けされた文法にマッピングする音声レコグナイザであって、前記マッピングに基づいて前記自然言語入力のカテゴリ化された単語を構成する認識出力を生成する音声レコグナイザと
を備えたことを特徴とするシステム。
【請求項２】
前記文法を受け取り、前記オブジェクト指向のデータ型のセットを前記セマンティックなコードから分離する文法コンパイラであって、前記文法に基づいて型付けされた文法を生成する文法コンパイラ
をさらに備えたことを特徴とする請求項１に記載のシステム。
【請求項３】
前記型付けされた文法はステートマシンを含むことを特徴とする請求項２に記載のシステム。
【請求項４】
前記選択されたデータ型は、実行時に前記１つまたは複数のパラメータとともにインスタンス化されることを特徴とする請求項１に記載のシステム。
【請求項５】
ソースコードファイルと前記ソースファイルとを受け取り、該ソースコードファイルと該ソースファイルとを中間言語コードにコンパイルするコードコンパイラ
をさらに備えたことを特徴とする請求項１に記載のシステム。
【請求項６】
前記中間言語コードは、コンピュータ読み取り可能コード、および関連デバッグ情報を含むことを特徴とする請求項５に記載のシステム。
【請求項７】
自然言語認識用のシステムであって、
自然言語入力を受け取るように構成された入力デバイスと、
自然言語の要素を表すオブジェクト指向のデータ型のセットを定義したＤＬＬを構成する型付けされた文法を生成するように構成された文法コンパイラであって、前記ＤＬＬは、カテゴリとして文法の多言語バージョンを含むステートマシンと、セマンティックな処理情報およびデバッグ情報を含む中間言語コードとを含む文法コンパイラと、
前記ステートマシンを使用して、前記自然言語入力をテキストに変換し、前記型付けされた文法のＤＬＬ内に定義された型に基づいて前記テキストを認識し、前記テキストに基づいて前記自然言語入力のカテゴリ化された単語を構成する認識出力を生成するように構成された認識コンポーネントと、
前記カテゴリ化された単語を受け取り、前記カテゴリ化された単語に基づき前記自然言語入力のセマンティックスを識別するように構成された解釈コンポーネントと
を備えたことを特徴とするシステム。
【請求項８】
前記セマンティックな処理情報は、前記型付けされた文法内の型の意味を定義することを特徴とする請求項７に記載のシステム。
【請求項９】
前記解釈コンポーネントは、前記セマンティックな処理情報を利用して、前記文法に基づいて前記自然言語入力のセマンティックスを識別することを特徴とする請求項８に記載のシステム。
【請求項１０】
前記認識コンポーネントは、前記自然言語入力を、前記文法において指定されたテキストに変換するように構成されることを特徴とする請求項７に記載のシステム。
【請求項１１】
前記解釈コンポーネントは、１つまたは複数の解釈コンポーネントを含み、各前記解釈コンポーネントは、前記自然言語入力の可能な解釈を生成するように構成され、前記システムは、
前記１つまたは複数の解釈コンポーネントが生成する、前記自然言語入力の１つまたは複数の可能な解釈のそれぞれを統合するように構成された統合コンポーネントであって、前記統合コンポーネントは、クライアントデバイスが使用することができる前記識別されたセマンティックスから型を選択するように構成されたプロセッサを含み、前記クライアントデバイスが使用することができない型は破棄され、前記クライアントデバイスが使用することができる型はフィールドおよびプロパティとともに統合された出力文法オブジェクトに統合され、前記統合された出力文法オブジェクトは、前記クライアントデバイス上のクライアントアプリケーションにより使用されるように構成される統合コンポーネント
をさらに備えたことを特徴とする請求項７に記載のシステム。
【請求項１２】
前記自然言語入力は音声を含むことを特徴とする請求項７に記載のシステム。
【請求項１３】
前記自然言語入力は手書きを含むことを特徴とする請求項７に記載のシステム。
【請求項１４】
１つまたは複数の専用ソースコードファイル内、および前記型付けされた文法を有する文法ファイル内で定義されたアプリケーションコードをさらに備え、
前記文法コンパイラは、前記１つまたは複数の専用ソースコードファイルから前記型付けされた文法を生成することを特徴とする請求項７に記載のシステム。
【請求項１５】
自然言語アプリケーションの文法にアクセスする方法であって、
１つまたは複数の文法を提供するステップであって、各前記文法は自然言語を表すオブジェクト指向のデータ型のセットを含むステップと、
１つまたは複数のソースコードファイル内で、自然言語入力に対して操作するプロセスを定義するステップと、
実行時において、１つまたは複数のパラメータとともに前記オブジェクト指向のデータ型のセットのうちの選択されたデータ型をインスタンス化し、パラメータを有する型付けされた文法を生成するステップであって、前記選択された型は自然言語入力に対応するステップと、
前記自然言語入力を受け取り、前記パラメータに従って前記自然言語入力を前記型付けされた文法にマッピングするステップと、
前記マッピングに基づいて前記自然言語入力のカテゴリ化された単語を構成する認識出力を生成するステップと
を備えることを特徴とする方法。
【請求項１６】
文法コンパイラを用いて、前記文法をステートマシンにコンパイルするステップと、
前記ステートマシン、および前記選択された型に関連付けられたセマンティックなコードを、音声レコグナイザに提供するステップと
をさらに備えること特徴とする請求項１５に記載の方法。
【請求項１７】
前記インスタンス化するステップは、
文法コンパイラを用いて、前記１つまたは複数の文法内の公開文法ルールごとに１つのクラスを作成するステップ
をさらに含むことを特徴とする請求項１５に記載の方法。
【請求項１８】
各前記文法は、前記オブジェクト指向のデータ型のセットに関連付けられたセマンティックなコードをさらに含むことを特徴とする請求項１５に記載の方法。
【請求項１９】
前記選択されたデータ型は、データ型の定義に基づいて、前記文法からプロパティを継承することを特徴とする請求項１５に記載の方法。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
インスタントメッセージングセッションの間に、
クライアントによって、当該クライアントと他の１つ以上のクライアントによってアクセス可能な共有空間を確立するステップと、
前記クライアントによって、他の１つ以上のクライアントと共有されるデータを指定するステップであって、前記インスタントメッセージングセッションの間、前記他の少なくとも１つのクライアントが有効でないものと、
前記データをローカルのストレージ内又は前記クライアント及び前記他の１つ以上のクライアントに含まれないストレージ内にストアするステップ、及び
前記クライアントが有効であるときに、前記共有データを前記他のクライアントそれぞれと同期させるステップであって、前記他のクライアントのそれぞれが有効である時に前記クライアントから前記他のクライアントのそれぞれにメッセージを通信し、当該メッセージが、修正されたデータを複製して前記データを現在のステータスに更新し、一旦更新されたデータが前記１つ以上のクライアント間で矛盾する事をフラグし、ローカルのストレージ内又は前記クライアント及び前記他の１つ以上のクライアントに含まれないストレージ内にストアされた前記更新されたデータを前記少なくとも１つの他のクライアントへ提供することをトリガーするステップと、を含む方法。
【請求項２】
前記同期させるステップが、ピアツーピアネットワーク上で実行されること、を特徴とする請求項１記載の方法。
【請求項３】
前記指定するステップが、前記インスタントメッセージングセッションの間、通信されるインスタントメッセージを表示するために構成されるユーザインタフェースを介し実行されること、を特徴とする請求項１記載の方法。
【請求項４】
前記指定するステップが、複数の前記他のクライアントを有するグループによって共有されるデータに対応するフォルダの表示を含むユーザインタフェースを介し実行され、及び
前記グループのメンバーが、前記インスタントメッセージングセッションの終了を過ぎても存続するように構成された永続オブジェクトによって指定されること、を特徴とする請求項１記載の方法。
【請求項５】
前記データが、データ項目に対する１つ以上の変更を記載する前記データ項目のサブセットであること、を特徴とする請求項１記載の方法。
【請求項６】
さらに、前記データの同期をスケジューリングするステップ、を含む請求項１記載の方法。
【請求項７】
前記スケジューリングするステップが、
前記データを受信する前記クライアントに対応する最新の特性か、
前記データをもたらす前記少なくとも１つのクライアントの特性か、又は、
同期される前記データの特性の、
１つ以上の少なくとも一部に基づくこと、を特徴とする請求項６記載の方法。
【請求項８】
データ共有を具体化するインスタントメッセージングクライアントを用いて、複数の他のクライアントの１つ以上との間で協調的にデータを共有する第１のクライアントに対する方法であって、
前記複数の他のクライアントの１つ以上によって共有されるデータが同期されるか否かを、前記第１のクライアントによって決定するステップと、
前記複数の他のクライアントの１つ以上の何れによって前記共有されるデータが受け取られるかを、前記第１のクライアントによって選択するステップと、
前記選択された複数の他のクライアントの１つ以上による前記共有されるデータへのアクセスをさせる共有空間を、前記第１のクライアントによって指定するステップと、
前記選択された複数の他のクライアントの１つ以上が前記データを協調的に修正可能であることを、前記第１のクライアントによって指定するステップと、
及び
前記少なくとも１つの選択されたクライアントがインスタントメッセージングを介し有効でない間、前記決定に基づき、前記データの同期をスケジューリングするステップであって、前記データの同期が、前記選択された他のクライアントのそれぞれが有効である時に前記第１のクライアントから前記選択された他のクライアントのそれぞれへメッセージを通信し、当該メッセージが、修正されたデータを複製して前記データを現在のステータスに更新し、一旦更新されたデータが前記選択された複数の他のクライアントの１つ以上の間で矛盾する事をフラグし、前記更新されたデータを前記スケジュールの決定に従って前記選択された複数の他のクライアントの１つ以上へ提供することをトリガーするステップと、を含む方法。
【請求項９】
前記決定するステップが、インスタントメッセージを表示するために構成されるユーザインタフェースとの対話を監視することに少なくとも一部基づくこと、を特徴とする請求項８記載の方法。
【請求項１０】
さらに、前記１つ以上のクライアントの存在を決定するステップを含み、前記スケジューリングするステップが、前記決定された存在に少なくとも一部基づいて実行されること、を特徴とする請求項８記載の方法。
【請求項１１】
前記決定するステップが、前記データに対応するバージョンベクトルを有する同期交渉メッセージに少なくとも一部基づくこと、を特徴とする請求項８記載の方法。
【請求項１２】
前記決定するステップが、前記１つ以上の複数の他のクライアントを記述する存在情報の一部としてストアされたバージョンベクトルを利用することに少なくとも一部基づいて実行されること、を特徴とする請求項８記載の方法。
【請求項１３】
前記データの同期をスケジューリングするステップが、前記クライアント及び前記他のクライアントのそれぞれにおいて実行されるスケジューリングモジュールによって遂行されること、を特徴とする請求項８記載の方法。
【請求項１４】
インスタントメッセージングの間、他の少なくとも１つのクライアントと共有されるために指定されたデータを同期させるか否かを決定するステップと、及び
前記決定に基づき、前記データを前記他の少なくとも１つのクライアントにいつ同期させるかをスケジューリングするステップであって、前記データの同期が、前記少なくとも１つの他のクライアントが有効である時に前記少なくとも１つの他のクライアントにメッセージを通信し、当該メッセージが、修正されたデータを複製して前記データを現在のステータスに更新し、一旦更新されたデータが前記複数のクライアント間で矛盾する事をフラグし、前記更新されたデータを前記スケジュールの決定に従って前記複数のクライアントへ提供することを含み、更新されたデータが矛盾するとフラグされた時、前記複数のクライアント内で実行中のモジュールが、前記複数のクライアントの対応するものに対する訂正のために矛盾を通知するステップ、
から成る方法を、
コンピュータに対して実行時に指示するコンピュータ実行可能命令を含む１つ以上のコンピュータ可読メディア。
【請求項１５】
前記コンピュータ実行可能命令が、前記他の少なくとも１つのクライアント、前記データ、及び前記コンピュータに基づいた特性を利用し、スケジューリングすることを前記コンピュータに指示すること、を特徴とする請求項１４記載の方法。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
（a）Angiopep-1（配列番号：67）の配列と少なくとも80％同一のアミノ酸配列を有するAngiopep-1の生物学的に活性な類似体を含む担体であって、前記類似体が、Angiopep-1の配列における少なくとも一つのアミノ酸置換を有する、担体；および
（b）前記担体と複合している化合物
を含む、複合体またはその薬学的に許容される塩。
【請求項２】
前記アミノ酸置換が、システインからセリンへのアミノ酸置換である、請求項1記載の複合体。
【請求項３】
（a）Angiopep-2の配列と少なくとも80％の同一性を有するアミノ酸配列を含み、かつAngiopep-1の配列を含まない、担体；および
（b）前記担体と複合している化合物
を含む、複合体またはその薬学的に許容される塩。
【請求項４】
前記担体が、Angiopep-2（配列番号：97）の配列を含むか、またはその配列からなる、請求項1〜3のいずれか一項記載の複合体。
【請求項５】
（a）（i）配列番号：1〜105のいずれか一つのアミノ酸配列と少なくとも70％同一のアミノ酸配列またはその生物学的に活性な断片を含む、担体；および
（ii）前記ポリペプチドと複合している化合物
を含む、複合体またはその薬学的に許容される塩；ならびに
（b）脂肪酸のポリオキシエチレンエステル
を含む、組成物。
【請求項６】
前記ポリペプチドが、Angiopep-1（配列番号：67）もしくはAngiopep-2（配列番号：97）の配列を含むか、またはその配列からなる、請求項5記載の組成物。
【請求項７】
前記ポリオキシエチレンエステルがSolutol(登録商標)HS 15である、請求項5または6記載の組成物。
【請求項８】
マンニトールまたは緩衝剤をさらに含む、請求項5〜7のいずれか一項記載の組成物。
【請求項９】
前記担体が、アミノ酸50個未満の長さのアミノ酸配列を含む、請求項1〜8のいずれか一項記載の複合体または組成物。
【請求項１０】
薬学的に許容される担体をさらに含む、請求項1〜9のいずれか一項記載の複合体または組成物。
【請求項１１】
前記薬剤が、小分子薬、タンパク質、ペプチド、および標識からなる群より選択される、請求項1〜10のいずれか一項記載の複合体または組成物。
【請求項１２】
前記薬剤が抗癌薬である、請求項11記載の複合体または組成物。
【請求項１３】
前記抗癌薬が、タキソール、タキソール誘導体、ビンブラスチン、ビンクリスチン、エトポシド、ドキソルビシン、シクロホスファミド、タキソテール（taxotere）、メルファラン、およびクロラムブシルからなる群より選択されるか、またはその薬学的に許容される塩である、請求項12記載の複合体または組成物。
【請求項１４】
前記抗癌薬が、タキソールまたはその薬学的に許容される塩である、請求項13記載の複合体または組成物。
【請求項１５】
前記抗癌薬が、エトポシドまたはその薬学的に許容される塩である、請求項13記載の複合体または組成物。
【請求項１６】
前記抗癌薬が、ドキソルビシンまたはその薬学的に許容される塩である、請求項13記載の複合体または組成物。
【請求項１７】
前記タンパク質が、抗体、抗体断片、もしくはタンパク質に基づく薬物、またはその薬学的に許容される塩である、請求項11または12記載の複合体または組成物。
【請求項１８】
癌の処置のための、請求項1〜17のいずれか一項に記載される複合体または組成物の、使用。
【請求項１９】
前記癌が、原発性脳腫瘍または転移起源の脳腫瘍である、請求項18記載の使用。
【請求項２０】
前記癌が、脳転移、神経膠芽腫、または神経膠腫である、請求項19記載の使用。
【請求項２１】
前記癌が脳の外部にある、請求項18記載の使用。
【請求項２２】
脳の外部の癌を処置するための複合体の使用であって、
前記複合体が、
（a）配列番号：1〜105のいずれか一つのアミノ酸配列と少なくとも70％同一のアミノ酸配列またはその生物学的に活性な断片を有する、ポリペプチド；および
（b）前記ポリペプチドと複合している抗癌薬またはタンパク質
を含む、
使用。
【請求項２３】
前記ポリペプチドが、Angiopep-1（配列番号：67）もしくはAngiopep-2（配列番号：97）の配列を含むか、またはその配列からなる、請求項22記載の使用。
【請求項２４】
前記ポリペプチドが、アミノ酸約19個から約50個の長さである、請求項22または23記載の使用。
【請求項２５】
前記抗癌薬が、タキソール、タキソール誘導体、ビンブラスチン、ビンクリスチン、エトポシド、ドキソルビシン、シクロホスファミド、タキソテール、メルファラン、もしくはクロラムブシル、またはその薬学的に許容される塩である、請求項22〜24のいずれか一項記載の使用。
【請求項２６】
前記抗癌薬が、タキソール、ドキソルビシン、もしくはエトポシド、またはその薬学的に許容される塩である、請求項25記載の使用。
【請求項２７】
前記タンパク質が抗体または抗体断片である、請求項22〜24のいずれか一項記載の使用。
【請求項２８】
前記癌が、肺腫瘍、乳房腫瘍、腎臓腫瘍、眼の腫瘍、肝臓腫瘍、結腸直腸腫瘍、または泌尿器官の腫瘍であるか、または乳房腫瘍、肺腫瘍、黒色腫、もしくは脳腫瘍に由来する転移癌である、請求項21〜27のいずれか一項記載の使用。
【請求項２９】
前記癌が、P糖タンパク質を発現する細胞を含む、請求項21〜28のいずれか一項記載の使用。
【請求項３０】
前記癌が多剤耐性である、請求項21〜29のいずれか一項記載の使用。
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
（ａ）臭素化剤、（ｂ）溶媒中のスチレン系ポリマー溶液および（ｃ）ハロゲン原子が臭素もしくは塩素であり、少なくとも１つのこのようなハロゲン原子が臭素原子である、ハロゲン化アルミニウム触媒から形成される反応混合物を、ポリマーの臭素化が起こるように−２０乃至＋２０℃の範囲の１つ以上の温度において維持し、そしてこのような反応混合物中のポリマーの臭素化を２０分以下の臭素化時間で停止することを含んでなる、臭素化スチレン系ポリマーを製造する方法。
【請求項２】
方法が、（ｉ）前記臭素化剤が臭素であること、（ｉｉ）前記スチレン系ポリマーの少なくとも５０％がポリスチレンであること、（ｉｉｉ）前記ハロゲン化アルミニウム触媒が三臭化アルミニウムであること、および（ｉｖ）前記臭素化時間が１０分以下であること、の少なくとも１つによって更に特徴づけられる、請求項１の方法。
【請求項３】
前記ポリスチレンがアニオン型ポリスチレンである、請求項２に記載の方法。
【請求項４】
前記スチレン系ポリマーがポリスチレンである、請求項２に記載の方法。
【請求項５】
Ａ）（ａ）臭素化剤、（ｂ）溶媒中のスチレン系ポリマー溶液および（ｃ）ハロゲン原子が臭素もしくは塩素であり、少なくとも１つのこのようなハロゲン原子が臭素原子である、ハロゲン化アルミニウム触媒から連続的に形成される反応混合物を−２０乃至＋２０℃の範囲の１つ以上の温度において維持されている反応域の中を連続的に移動し、排出せしめて、ポリマーの臭素化がこのような移動の少なくとも一部の間に起こるようにし；
Ｂ）反応域から出る時、もしくは出た後で反応混合物中のポリマーの臭素化を停止し；そして
Ｃ）１−２０分の範囲でＡ）における反応混合物の形成とＢ）における停止の間の時間を連続的に有する
ことを含んでなる、臭素化スチレン系ポリマーを製造する方法。
【請求項６】
方法が、（ｉ）前記臭素化剤が臭素であること、（ｉｉ）前記スチレン系ポリマーの少なくとも５０％がポリスチレンであること、（ｉｉｉ）前記ハロゲン化アルミニウム触媒が三臭化アルミニウムであること、（ｉｖ）前記臭素化時間が１０分以下であること、および（ｖ）前記反応混合物をそれが反応域から出る時もしくは出た後で、水を液体状態で含んでなるクエンチ組成物で断続的にまたは連続的にクエンチすることによって、Ｂ）におけるポリマーの臭素化を停止すること、の少なくとも１つによって更に特徴づけられる、請求項５の方法。
【請求項７】
前記ポリマーがアニオン型ポリスチレンである、５、６および８のいずれか１項に記載の方法。
【請求項８】
前記反応域が上流の入口域および下流の出口域を有し；Ａ）においては（ａ）、（ｂ）および（ｃ）を前記上流の入口域の中に連続的にフィードして、反応域中で前記反応混合物を連続的に製造することにより、反応混合物が連続的に形成され；前記反応混合物がスチレン系ポリマーの臭素化が起こることができる液体相を含んでなり；Ａ）における前記反応混合物の連続移動が前記上流の入口域から前記下流の出口域までのものであり、そして前記連続移動時の反応混合物の液体相の少なくとも平均の温度が−２０乃至＋２０℃の範囲の前記１つ以上の温度に維持され；Ａ）における反応域からの反応混合物の排出が前記下流の出口域からのものであり；そして反応域からの排出時の反応混合物がクエンチ域の中に通され、そこで反応混合物が液体状態の水からなるクエンチ組成物によりクエンチされる、請求項６に記載の方法。
【請求項９】
Ａ）における連続フィードの速度に対するＡ）における反応域からの反応混合物の排出速度が維持されて、反応域の移動する内容物の体積が実質的に一定に保たれる、請求項８に記載の方法。
【請求項１０】
前記ポリマーが１.５０までの範囲の初期ハンター溶液△Ｅ値を有する、臭素化アニオン型スチレン系ポリマー。
【請求項１１】
前記ポリマーが（１）８,０００−５０,０００の範囲のＧＰＣ重量平均分子量、または（２）３２０℃熱安定性試験におけるＨＢｒ３００ｐｐｍ以下の熱安定性、または（３）少なくとも約６６重量％の臭素含量または（４）（１）、（２）、（３）のいずれか２つもしくは３つ全部を更に有する、請求項１０に記載の臭素化アニオン型スチレン系ポリマー。
【請求項１２】
（ｉ）少なくとも約６６重量％の臭素含量、（ｉｉ）約８０００−約５０,０００の範囲のＧＰＣ重量平均分子量および（ｉｉｉ）ＡＳＴＭ試験方法Ｄ１２３８−００を用いて測定して、既知の同等の臭素化アニオン型スチレン系ポリマーと比較して高いメルトフローインデックスを有する臭素化アニオン型スチレン系ポリマー。
【請求項１３】
前記ポリマーが、（１）８０００−５０,０００の範囲の前記ＧＰＣ重量平均分子量を有すること、（２）３２０℃熱安定性試験においてＨＢｒ３００ｐｐｍ以下の熱安定性を有すること、（３）約６７−約７０重量％の範囲の臭素含量を有し且つ５以下の初期ハンター溶液△Ｅ色値を有すること、の少なくとも１つによって更に特徴づけられる、請求項１０の臭素化アニオン型スチレン系ポリマー。
【請求項１４】
前記ポリマーが少なくとも約６６重量％の臭素含量を有し、ならびにプロトンＮＭＲにより測定してオルト臭素原子を有する芳香族環のパーセントが既知の同等の臭素化アニオン型スチレン系ポリマー中のオルト臭素原子を有する芳香族環のパーセントよりも少ないものである、臭素化アニオン型スチレン系ポリマー。
【請求項１５】
前記ポリマーが、（ｉ）オルト臭素原子を有する芳香族環のパーセントが前記既知の同等の臭素化アニオン型スチレン系ポリマー中のオルト臭素原子を有する芳香族環のパーセントよりも少なくとも５％少ないこと、（ｉｉ）８,０００−５０,０００の範囲の前記ＧＰＣ重量平均分子量を有すること、（ｉｉｉ）６７−７０重量％の範囲の臭素含量を有すること、（ｉｖ）３２０℃熱安定性試験においてＨＢｒ３００ｐｐｍ以下の熱安定性を有すること、および（ｖ）５以下の初期ハンター溶液△Ｅ色値を有すること、の少なくとも１つによって更に特徴づけられる、請求項１４の臭素化アニオン型スチレン系ポリマー。
【請求項１６】
少なくとも１つの熱可塑性ポリマーと、難燃剤量の、請求項１０、１２または１４の臭素化アニオン型スチレン系ポリマーの少なくとも１つとのブレンドから成る難燃剤組成物。
【請求項１７】
前記熱可塑性ポリマーが、熱可塑性スチレン系ポリマー、熱可塑性アクリロニトリル−ブタジエン−スチレンポリマー、熱可塑性ポリエステルまたは熱可塑性ポリアミドである、請求項１６の組成物。
【請求項１８】
請求項１０、１２または１４の臭素化スチレン系ポリマーの少なくとも１つのブレンドまたは被覆により、熱可塑性ポリマーまたは熱硬化性樹脂を難燃化する方法。
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
（ｉ）鉄化合物、マンガン化合物、カルシウム化合物、セリウム化合物及びそれらの混合物から選択される金属化合物；並びに、
（ii）二環式モノテルペン、置換二環式モノテルペン、アダマンタン、プロピレンカーボネート及びそれらの混合物から選択される有機化合物
を含む燃料用添加剤組成物であって、
前記添加剤組成物が、少なくとも１００ｐｐｍの有機化合物（ii）を含むことを特徴とする燃料用添加剤組成物。
【請求項２】
さらに溶媒を含むことを特徴とする請求項１記載の燃料用添加剤組成物。
【請求項３】
溶媒が、芳香族化合物、パラフィン化合物及びそれらの混合物から選択されることを特徴とする請求項２記載の燃料用添加剤組成物。
【請求項４】
添加剤組成物が、３ｐｐｍ〜３０，０００ｐｐｍの金属を提供するのに十分な量の金属化合物（ｉ）を含むことを特徴とする請求項１〜３のいずれか記載の燃料用添加剤組成物。
【請求項５】
添加剤組成物が、１００ｐｐｍ〜７００，０００ｐｐｍの有機化合物（ii）を含むことを特徴とする請求項１〜４のいずれか記載の燃料用添加剤組成物。
【請求項６】
請求項１〜５のいずれか記載の添加剤組成物及び燃料を含む燃料組成物。
【請求項７】
添加剤組成物と燃料との比率が、１：１００〜１：１０，０００であることを特徴とする請求項６記載の燃料組成物。
【請求項８】
以下を含む燃料組成物：
（ｉ）鉄化合物、マンガン化合物、カルシウム化合物、セリウム化合物及びそれらの混合物から選択される金属化合物；
（ii）二環式モノテルペン、置換二環式モノテルペン、アダマンタン、プロピレンカーボネート及びそれらの混合物から選択される有機化合物；並びに、
（iii）バイオ燃料、ディーゼル、船舶用燃料、暖房用灯油、中間蒸留油及び重油から選択される燃料。
【請求項９】
（ｉ）鉄化合物、マンガン化合物、カルシウム化合物、セリウム化合物及びそれらの混合物から選択される金属化合物； 
（ii）二環式モノテルペン、置換二環式モノテルペン、アダマンタン、プロピレンカーボネート及びそれらの混合物から選択される有機化合物；並びに、
（iii）燃料
を含む燃料組成物を提供するステップ；並びに、
排気中の煤分及び灰分が減少するように前記燃料組成物を燃焼させるステップ
を含む、排気を伴う燃焼系中で燃料組成物を燃焼させる方法。
【請求項１０】
少なくとも０．０３ｐｐｍの金属を提供するのに十分な量の金属化合物（ｉ）を含むことを特徴とする請求項６〜８のいずれか記載の燃料組成物。
【請求項１１】
２．４０ｐｐｍ以下の金属を提供する量の金属化合物（ｉ）を含むことを特徴とする請求項６〜８及び１０のいずれか記載の燃料組成物。
【請求項１２】
７０ｐｐｍ以下の有機化合物（ii）を含むことを特徴とする請求項６〜８及び１０〜１１のいずれか記載の燃料組成物。
【請求項１３】
少なくとも１ｐｐｍの有機化合物（ii）を含むことを特徴とする請求項６〜８及び１０〜１２のいずれか記載の燃料組成物。
【請求項１４】
１０ｐｐｍ〜６０ｐｐｍの有機化合物（ii）を含むことを特徴とする請求項６〜８及び１０〜１３のいずれか記載の燃料組成物。
【請求項１５】
燃料燃焼系の排気中の煤分及び灰分を減少させるための、以下の使用：
（ｉ）鉄化合物、マンガン化合物、カルシウム化合物、セリウム化合物及びそれらの混合物から選択される金属化合物；並びに、
（ii）二環式モノテルペン、置換二環式モノテルペン、アダマンタン、プロピレンカーボネート及びそれらの混合物から選択される有機化合物。
【請求項１６】
金属化合物（ｉ）が、鉄化合物及びそれらの混合物から選択されることを特徴とする請求項１〜５のいずれか記載の添加剤組成物。
【請求項１７】
鉄化合物が、ビス−シクロペンタジエニル鉄、置換ビス−シクロペンタジエニル鉄、鉄タレート及びそれらの混合物から選択される鉄錯体であることを特徴とする請求項１６記載の添加剤組成物。
【請求項１８】
金属化合物（ｉ）が、ビス−シクロペンタジエニル鉄であることを特徴とする請求項１６記載の添加剤組成物。
【請求項１９】
鉄化合物が、アダマンチルビス−シクロペンタジエニル鉄、ビス（ジシクロペンタジエニル鉄）ジカルボニル及びそれらの混合物から選択される置換ビス−シクロペンタジエニル鉄であることを特徴とする請求項１６記載の添加剤組成物。
【請求項２０】
有機化合物（ii）が、ショウノウ、カンフェン、酢酸イソボルニル、ジプロピレングリコール−イソボルニルエーテル及びそれらの混合物から選択される二環式モノテルペン又は置換二環式モノテルペンであることを特徴とする請求項１〜５又は１６〜１９のいずれか記載の添加剤組成物。
【請求項２１】
有機化合物（ii）が、ショウノウであることを特徴とする請求項１〜５又は１６〜２０のいずれか記載の添加剤組成物。
【請求項２２】
金属化合物（ｉ）がビス−シクロペンタジエニル鉄であり、有機化合物（ii）がショウノウであることを特徴とする請求項１〜５のいずれか記載の添加剤組成物。
【請求項２３】
金属化合物（ｉ）と有機化合物（ii）との比率が、９：１〜１：７００であることを特徴とする請求項１〜５又は１６〜２２のいずれか記載の添加剤組成物。
【請求項２４】
金属化合物（ｉ）により提供される金属と有機化合物（ii）との比率が、６：１０〜３：１０００であることを特徴とする請求項１〜５又は１６〜２３のいずれか記載の添加剤組成物。
【請求項２５】
請求項１６〜２４のいずれか記載の添加剤組成物と燃料とを含むことを特徴とする燃料組成物。
【請求項２６】
請求項６〜８、１０〜１４及び２５のいずれか記載の燃料を提供し、排気中の煤分及び灰分が減少するように前記燃料を燃焼させることを特徴とする排気を伴う燃焼系中で燃料組成物を燃焼させる方法。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
治療の必要な患者の自己免疫疾患を治療するか又はその症状を改善するための、野生型Fcドメインを有する抗体と比較して、少なくとも1つのFcγRに対する結合が少なくとも50％低下しているキメラ又はヒト化抗CD3抗体を含む医薬組成物であって、該治療が１１日以内にわたって該医薬組成物を投与することを含んでなり、該投与により、毒性が最小になるか、または該投与により、マウスOKT3の同等の投与と比較して、サイトカイン放出症候群の症状が低下する、上記医薬組成物。
【請求項２】
抗体は、FcγRに検出できる程度には結合しない、C1qに対する結合が少なくとも50％低下している、および／または補体関連受容体に、検出できる程度には結合しない、請求項１に記載の医薬組成物。
【請求項３】
抗体はアミノ酸修飾を有するFcドメインを含み、修飾FcドメインはいかなるFcγRにも結合しない、請求項１又は２に記載の医薬組成物。
【請求項４】
抗体はグリコシル化されていない、請求項１〜３のいずれか１項に記載の医薬組成物。
【請求項５】
抗体はヒト化OKT3γ1 ala-alaである、請求項４に記載の医薬組成物。
【請求項６】
抗体は、OKT3、Leu-4、500A2、CLB-T3/3、M291、YTH12.5、又はBMA030のヒト化体又はキメラ体である、請求項１〜３のいずれか１項に記載の医薬組成物。
【請求項７】
抗体は、配列番号１のアミノ酸配列を有するOKT3の軽鎖可変ドメインに由来する一または複数の軽鎖CDR配列および配列番号５のアミノ酸配列を有するOKT3の重鎖可変ドメインに由来する一または複数の重鎖CDR配列を含む、OKT3のヒト化体又はキメラ体である、請求項６に記載の医薬組成物。
【請求項８】
抗体は、配列番号３または配列番号４のアミノ酸配列を有する軽鎖可変ドメインおよび配列番号７、配列番号８または配列番号９のアミノ酸配列を有する重鎖可変ドメインを含む、OKT3のヒト化体である、請求項６に記載の医薬組成物。
【請求項９】
自己免疫疾患は、1型糖尿病、乾癬、慢性関節リウマチ、ループス、炎症性腸疾患（IBD）、潰瘍性大腸炎、クローン病、多発性硬化症、臓器移植の影響、又は移植片対宿主反応病（GVHD）である、請求項１〜８のいずれか１項に記載の医薬組成物。
【請求項１０】
自己免疫疾患が、1型糖尿病であり、治療の前に、該患者のHA1cは7.5％未満であるか、又は混合金属負荷試験（MMTT）に対する患者のC-ペプチド応答は、最初の4時間の曲線下の平均面積が少なくとも100pmol/mlである、請求項９記載の医薬組成物。
【請求項１１】
自己免疫疾患が、1型糖尿病であり、治療の6ヶ月後に、患者のインスリンの平均1日用量が治療前の平均1日用量と比較して30U/kg/日以下上昇する、患者は0.5U/kg/日以下のインスリンの平均1日用量を必要とする、および／または患者のHA1cが7.5％未満である、請求項９記載の医薬組成物。
【請求項１２】
治療は少なくとも4日間、少なくとも5日間、少なくとも6日間、少なくとも7日間、少なくとも8日間、少なくとも9日間、少なくとも10日間または少なくとも11日間の抗体の投与を含む、請求項１〜１１のいずれか１項に記載の医薬組成物。
【請求項１３】
治療は10日間以下、9日間以下、8日間以下、7日間以下、6日間以下、5日間以下または4日間以下の抗体の投与を含む、請求項１〜１１のいずれか１項に記載の医薬組成物。
【請求項１４】
抗体を投与する日が連続している、請求項12または13に記載の医薬組成物。
【請求項１５】
治療が連続4日間以上の抗体の投与を含み、1日目の用量は約1.6μg/kgであり、2日目の用量は約3.2μg/kgであり、3日目の用量は約6.5μg/kgであり、4日目の用量は約13μg/kgであり、それ以降の日の用量は約26μg/kgである、請求項１〜14のいずれか１項に記載の医薬組成物。
【請求項１６】
治療は、投与処方の少なくとも最初の3または4日間は抗体の投与量が増加する投与処方を含む、請求項１〜15のいずれか１項に記載の医薬組成物。
【請求項１７】
投与はインスリンの投与と組合わされる、免疫抑制剤の投与と組合わされる、エキセナチドの投与と組合わされる、および／またはプラムリンチドの投与と組合わされる、請求項１〜16のいずれか１項に記載の医薬組成物。
【請求項１８】
治療が200μｇ／ｋｇ以下の抗体の投与を含む、請求項１〜17のいずれか１項に記載の医薬組成物。
【請求項１９】
ヒト化抗CD3抗体を産生する方法であって、
(a)発現ベクターpMGX1303又はその子孫でトランスフェクトされたCHO細胞を、培地中で、該抗CD3抗体の発現に適した条件下で培養し；そして
(b)該培地から該抗CD3抗体を回収することを含んでなる、上記方法。
【請求項２０】
抗CD3抗体はOKT3γ1（ala-ala）である、請求項19記載の方法。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
少なくとも１種のジエンエラストマー、補強用充填剤およびカップリング剤をベースとし、前記補強用充填剤が、シリカで被覆した合成水酸化マグネシウムMg(OH)2ウェーハを含むことを特徴とするゴム組成物。
【請求項２】
前記ジエンエラストマーが、ポリブタジエン類、合成ポリイソプレン類、天然ゴム、ブタジエン/スチレンコポリマー類、ブタジエン/イソプレンコポリマー類、イソプレン/スチレンコポリマー類、ブタジエン/スチレン/イソプレンコポリマー類およびこれらのエラストマーのブレンドによって形成された群から選ばれる、請求項１記載の組成物。
【請求項３】
前記カップリング剤が、少なくとも二官能性であるシランまたはポリシロキサンである、請求項１記載の組成物。
【請求項４】
水酸化マグネシウムウェーハ表面のシリカの質量が、ウェーハの総質量の5%〜50%である、請求項１記載の組成物。
【請求項５】
水酸化マグネシウムが一次粒子の凝集物を含み、該凝集物が2.0よりも大きい縦横比(A1 = L1/T1)を有するウェーハの形にあり、L1およびT1は、それぞれ、該凝集物の数平均長さおよび厚さを示す、請求項１記載の組成物。
【請求項６】
前記凝集物の縦横比(A1)が、3.0よりも大きい、請求項５記載の組成物。
【請求項７】
水酸化マグネシウムが一次粒子の凝集物を含み、該一次粒子が1.5よりも大きい縦横比(A2 = L2/T2)を有するウェーハの形にあり、L2およびT2は、それぞれ、該一次粒子の数平均長さおよび厚さを示す、請求項１記載の組成物。
【請求項８】
前記一次粒子の縦横比(A2)が、2.0よりも大きい、請求項７記載の組成物。
【請求項９】
少なくとも１種のジエンエラストマー、少なくとも１種の補強用充填剤、およびカップリング剤を混入する、改良された加硫速度を有するジエンゴム組成物を得る方法であって、前記充填剤が、シリカで被覆した合成水酸化マグネシウムMg(OH)2ウェーハを含み、混合物全体を、１以上の工程で、110℃〜190℃の最高温度に達するまで熱機械的に混練することを特徴とする前記方法。
【請求項１０】
請求項１記載のゴム組成物を含むタイヤ。
【請求項１１】
請求項１記載のゴム組成物を含むタイヤトレッド。
【請求項１２】
シリカで被覆した合成水酸化マグネシウムMg(OH)2ウェーハ。
【請求項１３】
前記水酸化マグネシウムウェーハ表面でのシリカの質量が、前記ウェーハの総質量の5%〜50%である、請求項１２記載のウェーハ。
【手続補正書】
【提出日】平成21年6月25日(2009.6.25)
【手続補正１】
【補正対象書類名】明細書
【補正対象項目名】０１１８
【補正方法】変更
【補正の内容】
【０１１８】
付与
本発明の生成物及び参照生成物の水分散液は、ＰＥＳ、ＰＡ、ＰＥＳ−ＣＯ、及びＣＯ試験布地上に、パッド付与により０．３％ＳＯＦで付与されて、次に１６０℃で１．５分硬化される。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
構造式（I）の構造を有する化合物：
【化１】
2009500423.tif 000001
ここで、
Ｌは存在しないか、-ＸＣ(Ｏ)-を表し、
Ｒ１は、Ｈ、Ｃ１-６アルキル、Ｃ１-６アシル、Ｃ１-６アラルキル、Ｃ１-６アラシル(aracyl)、Ｃ１-６ヘテロアラシル、カルボシクリル、アリール、およびＡｒＳＯ２−からなる群より選択され、
Ｒ２は、ＨおよびＣ１-６アルキルからなる群より選択されるか、または、Ｒ１とＲ２が一体となってフタロイルとなり、それによって環を形成し、
Ｒ３は、Ｈ、Ｃ１-６アルキル、Ｃ１-６ヒドロキシアルキル、Ｃ１-６チオアルキル、およびＣ１-６アラルキルからなる群より選択され、
Ｗは、Ｂ(Ｙ１)(Ｙ２)およびＣＮからなる群より選択され、
Ｙ１およびＹ２は、独立してＯＨ またはボロン酸へと加水分解可能な基、もしくは、それらに付加するホウ素原子とともに、ボロン酸へと加水分解可能な５〜８員環を形成し、
Ｘは、ＯおよびＮＨからなる群より選択される。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
ａ）難燃剤組成物、液体および場合によっては界面活性剤を合体して、懸濁物を形成すること；
ｂ）有効な磨砕条件下で前記懸濁物を磨砕し、それにより約１００ｎｍから約８００ｎｍの範囲の平均粒子サイズを有するサブミクロン難燃剤生成物と、前記液体を含む磨砕生成物を製造すること、ここで、前記有効な条件は難燃剤組成物中に存在するいかなる不純物であれ少なくとも一部が液体の中に抽出される条件である
を含み、
場合により、
ｃ）サブミクロン難燃剤生成物および液体を分離し；
ｄ）サブミクロン難燃剤生成物を回収する
ことを含んでなる、改善された誘電率および／または散逸率を有する難燃剤を製造するための方法。
【請求項２】
前記難燃剤組成物がプリント配線基板の製造における使用に好適な難燃剤組成物から選択される、請求項１に記載の方法。
【請求項３】
前記難燃剤組成物が臭素化されている、請求項２に記載の方法。
【請求項４】
前記液体が水；トルエン、キシレンなどの芳香族有機溶剤；アセトン；イソプロパノールなどのアルコールなどから選択される、請求項１に記載の方法。
【請求項５】
前記サブミクロン難燃剤生成物が約１００ｎｍから約５００ｎｍの範囲の平均粒子サイズを有する、請求項１に記載の方法。
【請求項６】
段階ｃ）および／または段階ｄ）を含み、前記サブミクロン難燃剤生成物と前記液体が濾過、デカンテーション、蒸発、蒸留などから選択される方法により分離される、請求項１に記載の方法。
【請求項７】
サブミクロン難燃剤の誘電率が元の難燃剤のそれよりも約０．０１％低い、または元の難燃剤のそれよりも約０．０１％から約９９．９９％低い、請求項１に記載の方法。
【請求項８】
前記難燃剤粒子と前記液体が、界面活性剤と、分散剤とまたは分散剤および界面活性剤と合体される、請求項１に記載の方法。
【請求項９】
請求項１に記載の方法によって製造されるサブミクロン難燃剤を含む配合物。
【請求項１０】
ａ）難燃剤組成物、液体および場合によっては界面活性剤を合体して、懸濁物を形成し；
ｂ）有効な磨砕条件下で前記懸濁物を磨砕し、それにより約１００ｎｍから約８００ｎｍの範囲の平均粒子サイズを有するサブミクロン難燃剤生成物と、前記液体を含む磨砕生成物を製造し、ここで、前記有効な条件は難燃剤組成物中に存在するいかなる不純物であれ少なくとも一部が液体の中に抽出される条件である；
ｃ）サブミクロン難燃剤生成物と液体の少なくとも一部を分離し、それによりサブミクロン難燃剤生成物と液体の少なくとも一部を含んでなる生成物懸濁物を製造する
ことを含んでなる、改善された誘電率および／または散逸率を有する難燃剤を製造するための方法。
【請求項１１】
請求項１０に記載の方法によって製造された生成物懸濁物および樹脂を含む配合物。
【請求項１２】
請求項１１に記載の配合物。
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
ｉ）  油相中に１０％以下の水溶性を有する揮発性溶媒と少なくとも２０００の重量平均分子量を有する少なくとも一種の水不溶性ポリマーとを含み、この水不溶性ポリマーが前記揮発性溶媒に溶解している水中油型エマルジョンを調製すること
ｉｉ）該エマルジョンを、回転ディスク反応器の回転ディスクに供給すること、
ｉｉｉ）その回転ディスク温度を、前記溶媒の沸点温度以上に維持すること、
ｉｖ）  該回転ディスク反応器を、その回転ディスクが、前記エマルジョンを連続流の薄膜として回転ディスク上に拡げ、そこで揮発性溶媒を含有する蒸気相を除くに十分な速度で回転するように操作すること、そして
ｖ）  水不溶性ポリマー粒子を、該ポリマー粒子のスラリーとして集めること、
を含むポリマー粒子の製造方法。
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
エスゾピクロン、又は薬学的に許容可能なその塩、溶媒和物、包接化合物、多形体、若しくは共結晶、及び
Ｏ−デスメチルベンラファキシン、又は薬学的に許容可能なその塩、溶媒和物、包接化合物、多形体、若しくは共結晶、
を含む医薬組成物。
【請求項２】
Ｏ−デスメチルベンラファキシンが、（±）−Ｏ−デスメチルベンラファキシン又は（−）−Ｏ−デスメチルベンラファキシンである、請求項１に記載の医薬組成物。
【請求項３】
エスゾピクロン、又は薬学的に許容可能なその塩、溶媒和物、包接化合物、多形体、若しくは共結晶と、Ｏ−デスメチルベンラファキシン、又は薬学的に許容可能なその塩、溶媒和物、包接化合物、多形体、若しくは共結晶との組み合わせである薬剤であって、それらの治療的有効量を併用投与することにより閉経期又は閉経周辺期に罹っている患者を治療するための、前記薬剤。
【請求項４】
Ｏ−デスメチルベンラファキシンが、（±）−Ｏ−デスメチルベンラファキシン又は（−）−Ｏ−デスメチルベンラファキシンである、請求項３に記載の薬剤。
【請求項５】
エスゾピクロン、又は薬学的に許容可能なその塩、溶媒和物、包接化合物、多形体、若しくは共結晶と、Ｏ−デスメチルベンラファキシン、又は薬学的に許容可能なその塩、溶媒和物、包接化合物、多形体、若しくは共結晶との組み合わせである薬剤であって、それらの治療的有効量を併用投与することにより気分障害に罹っている患者を治療するための、前記薬剤。
【請求項６】
Ｏ−デスメチルベンラファキシンが、（±）−Ｏ−デスメチルベンラファキシン又は（−）−Ｏ−デスメチルベンラファキシンである、請求項５に記載の薬剤。
【請求項７】
エスゾピクロン、又は薬学的に許容可能なその塩、溶媒和物、包接化合物、多形体、若しくは共結晶と、Ｏ−デスメチルベンラファキシン、又は薬学的に許容可能なその塩、溶媒和物、包接化合物、多形体、若しくは共結晶との組み合わせである薬剤であって、それらの治療的有効量を併用投与することにより不安障害に罹っている患者を治療するための、前記薬剤。
【請求項８】
Ｏ−デスメチルベンラファキシンが、（±）−Ｏ−デスメチルベンラファキシン又は（−）−Ｏ−デスメチルベンラファキシンである、請求項７に記載の薬剤。
【請求項９】
エスゾピクロン、又は薬学的に許容可能なその塩、溶媒和物、包接化合物、多形体、若しくは共結晶と、Ｏ−デスメチルベンラファキシン、又は薬学的に許容可能なその塩、溶媒和物、包接化合物、多形体、若しくは共結晶との組み合わせである薬剤であって、それらの治療的有効量を併用投与することにより認知障害に罹っている患者を治療するための、前記薬剤。
【請求項１０】
Ｏ−デスメチルベンラファキシンが、（±）−Ｏ−デスメチルベンラファキシン又は（−）−Ｏ−デスメチルベンラファキシンである、請求項９に記載の薬剤。
【請求項１１】
気分障害が、大うつ病、大うつ病障害、軽度うつ病、精神病を伴わない重度うつ病、精神病を伴う重度うつ病、メランコリー、非定型うつ病、気分変調性障害、躁うつ病、双極性障害、双極Ｉ型障害、双極ＩＩ型障害、双極ＩＩＩ型障害、気分循環性障害、慢性軽躁病、月経前症候群、月経前不快気分障害、出産前うつ病、及び産後抑うつ症から選択される、請求項５に記載の薬剤。
【請求項１２】
不安障害が、パニック発作、パニック障害、恐怖性障害、強迫性障害、心的外傷後ストレス障害、急性ストレス障害、及び全般性不安障害から選択される、請求項７に記載の薬剤。
【請求項１３】
認知障害が、せん妄、認知症、アルツハイマー病、レビー小体認知症、血管性認知症、ビンスワンガー型認知症、パーキンソン病、進行性核上麻痺、ハンチントン病、ピック病、クリューバー・ビューシー症候群、前頭葉認知症症候群、正常圧水頭症、硬膜下血腫、クロイツフェルト・ヤコブ病、ゲルストマン・ストロイスラー・シャインカー病、全身不全麻痺、ＡＩＤＳ認知症、認知機能低下及び記憶喪失から選択される、請求項９に記載の薬剤。
【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
アルコールエトキシペルオキシカルボン酸、スルホペルオキシコハク酸、アルキルアミンペルオキシカルボン酸、及びそれらの混合物から選択される、有効な抗微生物量の界面活性ペルオキシカルボン酸と、
アルコールエトキシカルボン酸、スルホコハク酸、アルキルアミンカルボン酸、及びそれらの混合物から選択される、約０．０００５〜約４０重量％のカルボン酸界面活性剤とを含んでなる、組成物。
【請求項２】
アルコールエトキシペルオキシカルボン酸、スルホペルオキシコハク酸、アルキルアミンペルオキシカルボン酸、及びそれらの混合物から選択される、約０．０００５〜約１５重量％の界面活性ペルオキシカルボン酸と、
アルコールエトキシカルボン酸、スルホコハク酸、アルキルアミンカルボン酸、及びそれらの混合物から選択される、約０．０００５〜約２５重量％のカルボン酸界面活性剤とを含んでなる、請求項１記載の組成物。
【請求項３】
約０．０００５〜約５０重量％の酸化剤をさらに含んでなる、請求項１記載の組成物。
【請求項４】
約０．００１〜約８０重量％の酸味剤をさらに含んでなる、請求項１記載の組成物。
【請求項５】
約０．００００２〜約１０重量％の安定剤をさらに含んでなる請求項１記載の組成物。
【請求項６】
約５〜約９９．９９９９重量％の担体をさらに含んでなる、請求項１記載の組成物。